(57)【要約】【課題】マルチ発光時に、ストロボ装置の温度が規定温度に到達することを抑止することができるストロボ装置を提供する。【解決手段】指示される発光量と発光回数を取得する発光情報取得手段（Ｓ１０２）と、前記発光量の情報を用いて、温度が規定値に達しないようにするための上限発光回数を演算する演算手段（Ｓ１０３）とを有し、上限発光回数が、指示された発光回数を下回る場合は、演算された上限発光回数（Ｓ１０６のＮＯ）で発光を行う。【選択図】図３
2009139519.tif 000002
【特許請求の範囲】
【請求項１】
温度上昇緩和機能を有するストロボ装置であって、
指示される発光量と発光回数を取得する発光情報取得手段と、
前記発光量の情報を用いて、温度が規定値に達しないようにするための上限発光回数を演算する演算手段とを有し、
前記上限発光回数が、前記指示された発光回数を下回る場合は、前記上限発光回数で発光を行うことを特徴とするストロボ装置。
【請求項２】
前記上限発光回数の演算は、前記上限発光回数が前記指定された発光回数を超えるまで繰り返し行われることを特徴とする請求項１に記載のストロボ装置。
【請求項３】
前記演算手段は、指示される発光間隔と前記発光量の情報を用いて、前記上限発光回数を演算することを特徴とする請求項１または２に記載のストロボ装置。
【請求項４】
当該ストロボ装置の構成部品の温度を検出する温度検出手段を有し、
前記演算手段は、当該ストロボ装置の構成部品の温度と前記発光量の情報を用いて、前記上限発光回数を演算することを特徴とする請求項１または２に記載のストロボ装置。
【請求項５】
温度上昇緩和機能を有するストロボ装置であって、
指示される発光量と発光回数を取得する発光情報取得手段と、
前記発光量の情報を用いて、温度が規定値に達しないようにするための上限発光量を演算する演算手段とを有し、
前記上限発光量が、前記指示された発光量を下回る場合は、前記上限発光量以下で発光を行うことを特徴とするストロボ装置。
【請求項６】
前記上限発光量の演算は、前記上限発光量が前記指定された発光量を超えるまで繰り返し行われることを特徴とする請求項５に記載のストロボ装置。
【請求項７】
前記演算手段は、指示される発光間隔と前記発光量の情報を用いて、前記上限発光量を演算することを特徴とする請求項５または６に記載のストロボ装置。
【請求項８】
当該ストロボ装置の構成部品の温度を検出する温度検出手段を有し、
前記演算手段は、当該ストロボ装置の構成部品の温度と前記発光量の情報を用いて、前記上限発光量を演算することを特徴とする請求項５または６に記載のストロボ装置。
【請求項９】
温度上昇緩和機能を有するストロボ装置であって、
指示される発光量と発光回数を取得する発光情報取得手段と、
前記発光量の情報を用いて、温度が規定値に達しないようにするための上限発光回数もしくは上限発光量を演算する演算手段と、
前記演算手段により前記上限発光回数を演算させるか、前記上限発光量を演算させるかを選択する演算選択手段とを有し、
前記演算選択手段により選択された前記上限発光回数もしくは前記上限発光量が、前記指示された発光回数もしくは上限発光量を下回る場合は、前記演算された上限発光回数もしくは上限発光量で発光を行うことを特徴とするストロボ装置。
【請求項１０】
請求項１ないし９のいずれかに記載のストロボ装置を具備することを特徴とする撮像装置。
【発明の詳細な説明】
【技術分野】
【０００１】
本発明は、ストロボ装置および該ストロボ装置を具備した撮像装置に関する。
【背景技術】
【０００２】
従来、ストロボ装置の連続発光による発光部や充電回路等の温度上昇の緩和に関する技術は既に種々提案されている。特許文献１や特許文献２では、温度上昇を緩和させるために充電制御を変化させる技術が提案されている。また、特許文献３では、発光動作を禁止する技術が提案されている。
【特許文献１】特開平５−２１６０９６号公報
【特許文献２】特開平１０−２０６９４１号公報
【特許文献３】特開平２００６−５８４９０号公報
【発明の開示】
【発明が解決しようとする課題】
【０００３】
しかしながら、上記の従来技術においては、１回のシーケンスで複数回発光する所謂マルチ発光については考慮されていなかった。そのため、従来技術をマルチ発光にそのまま適用すると、マルチ発光中に所定回数の発光が行われる前に温度上昇緩和機能が働き、発光が停止されることで意図した発光を行うことができないといった問題があった。
【０００４】
また、マルチ発光での複数回の発光を１回の発光にまとめて従来技術を適用したとすると、温度上昇緩和機能が過度に働いてしまい、シャッタチャンスを逃すといった問題もあった。
【０００５】
（発明の目的）
本発明の目的は、マルチ発光時に、ストロボ装置の温度が規定温度に到達することを抑止することのできるストロボ装置および撮像装置を提供しようとするものである。
【課題を解決するための手段】
【０００６】
上記目的を達成するために、本発明は、温度上昇緩和機能を有するストロボ装置であって、指示される発光量と発光回数を取得する発光情報取得手段と、前記発光量の情報を用いて、温度が規定値に達しないようにするための上限発光回数を演算する演算手段とを有し、前記上限発光回数が、前記指示された発光回数を下回る場合は、前記上限発光回数で発光を行うストロボ装置とするものである。
【０００７】
同じく上記目的を達成するために、本発明は、温度上昇緩和機能を有するストロボ装置であって、指示される発光量と発光回数を取得する発光情報取得手段と、前記発光量の情報を用いて、温度が規定値に達しないようにするための上限発光量を演算する演算手段とを有し、前記上限発光量が、前記指示された発光量を下回る場合は、前記上限発光量以下で発光を行うストロボ装置とするものである。
【０００８】
同じく上記目的を達成するために、本発明は、温度上昇緩和機能を有するストロボ装置であって、指示される発光量と発光回数を取得する発光情報取得手段と、前記発光量の情報を用いて、温度が規定値に達しないようにするための上限発光回数もしくは上限発光量を演算する演算手段と、前記演算手段により前記上限発光回数を演算させるか、前記上限発光量を演算させるかを選択する演算選択手段とを有し、前記演算選択手段により選択された前記上限発光回数もしくは前記上限発光量が、前記指示された発光回数もしくは上限発光量を下回る場合は、前記演算された上限発光回数もしくは上限発光量で発光を行うストロボ装置とするものである。
【０００９】
同じく上記目的を達成するために、本発明は、本発明の上記ストロボ装置を具備する撮像装置とするものである。
【発明の効果】
【００１０】
本発明によれば、マルチ発光時に、ストロボ装置の温度が規定温度に到達することを抑止することができるストロボ装置または撮像装置を提供できるものである。
【発明を実施するための最良の形態】
【００１１】
本発明を実施するための最良の形態は、以下の実施例１ないし３に示す通りである。
【実施例１】
【００１２】
図１は本発明の実施例１に係わる、ストロボ装置、該ストロボ装置が着脱自在な撮像装置、および、該撮像装置に対して着脱される撮像レンズの回路構成を示す図である。
【００１３】
まず、撮像装置（以下、カメラ本体）１００内の回路構成について説明する。
【００１４】
カメラマイコン１０１には、焦点検出回路１０２、測光センサ１０３、シャッタ制御回路１０４、モータ制御回路１０５および液晶表示回路１０６が接続されている。また、カメラマイコン１０１は、撮像レンズ１１０内に配置されたレンズマイコン１１１とは、レンズマウント接点群１０９を介して信号伝達を行う。また、ストロボ装置１２０内に設けられた図２により後述するストロボマイコン２１９とは、ストロボ接点群２００を介して信号伝達を行う。
【００１５】
焦点検出回路１０２は、カメラマイコン１０１からの信号に従って不図示の焦点検出ラインセンサの蓄積制御と読み出し制御を行い、それぞれの画素情報をカメラマイコン１０１に出力する。カメラマイコン１０１はこの情報をＡ／Ｄ変換し、位相差検出方式により焦点調節状態の検出を行う。そして、カメラマイコン１０１は、レンズマイコン１１１と信号のやりとりを行うことによって、撮像レンズ１１０の焦点調節制御を行う。なお、焦点調節状態の検出は、位相差検出方式に限るものでは無く、公知の方法を用いればよいことは言うまでもない。
【００１６】
測光センサ１０３は、被写体に向けてストロボ光を予備発光していない定常状態と予備発光している状態と双方の状態で輝度信号をカメラマイコン１０１に出力する。カメラマイコン１０１は、入力される輝度信号をＡ／Ｄ変換し、撮影の露出調節のための絞り値およびシャッタ速度の演算と、露光時のストロボ発光量の演算とを行う。シャッタ制御回路１０４は、カメラマイコン１０１からの信号に従ってシャッタ先幕駆動用のマグネットＭＧ−１およびシャッタ後幕駆動用のマグネットＭＧ−２の通電制御を行い、先幕および後幕を走行させ、露光動作を行う。モータ制御回路１０５は、カメラマイコン１０１からの信号に従ってモータを制御することにより、不図示の主ミラーのアップダウンおよびシャッタチャージ等を行う。
【００１７】
ＳＷ１は不図示のレリーズボタンの第１ストローク（半押し）操作でＯＮし、測光、ＡＦ（自動焦点調節）を開始させるスイッチである。ＳＷ２はレリーズボタンの第２ストローク（全押し）操作でＯＮし、シャッタ走行、すなわち露光動作を開始させるスイッチである。スイッチＳＷ１，ＳＷ２の状態信号は、カメラマイコン１０１が読み取る。
【００１８】
液晶表示回路１０６は、カメラマイコン１０１からの信号に従ってファインダ内表示器１０７、外部表示器１０８を制御し、各々の設定状態等を表示させる。
【００１９】
次に、撮像レンズ１１０内の回路構成について説明する。
【００２０】
カメラ本体１００と撮像レンズ１１０とは、上述したようにレンズマウント接点群１０９を介して相互に電気的に接続される。レンズマウント接点群１０９は、撮像レンズ１１０内のフォーカス駆動モータ１１５および絞り駆動モータ１１６の電源用接点である接点Ｌ０、レンズマイコン１１１の電源用接点Ｌ１、シリアルデータ通信を行うためのクロック用接点Ｌ２を有する。さらに、カメラ本体１００から撮像レンズ１１０へのデータ送信用接点Ｌ３、撮像レンズ１１０からカメラ本体１００へのデータ送信用接点Ｌ４を有する。さらには、モータ用電源に対するモータ用グランド接点Ｌ５、レンズマイコン１１１用電源に対するグランド接点Ｌ６を有する。
【００２１】
レンズマイコン１１１は、レンズマウント接点１０９を介してカメラマイコン１０１と接続される。そして、レンズマイコン１１１はカメラマイコン１０１からの信号に応じてフォーカス駆動モータ１１５および絞り駆動モータ１１６を動作させ、撮像レンズ１１０の焦点調節と絞り装置１１７の開口径を制御する。
【００２２】
次に、ストロボ装置１２０内の回路構成について、図２を用いて説明する。
【００２３】
図２において、２０１は電源電池である。２０２はＤＣ／ＤＣコンバータであり、電池電圧を数１００Ｖに昇圧する。２０３は発光エネルギーを蓄積するメインコンデンサである。２０４，２０５は抵抗であり、メインコンデンサ２０３の電圧を所定比に分圧する。２０６は発光電流を制限するためのコイル、２０７は発光停止時に発生する逆起電圧を吸収するためのダイオードである。２０８はフラット発光のためのダイオード、２０９はトリガ発生回路、２１０はＩＧＢＴなどの発光制御回路である。
【００２４】
２１１はデータセレクタであり、Ｙ０，Ｙ１端子からの２種類の入力の組み合わせにより、Ｄ０，Ｄ１，Ｄ２端子のいずれかを選択して、Ｙ端子より出力する。２１２はフラット発光の発光レベル制御用のコンパレータ、２１３はストロボ発光時の発光量制御用のコンパレータである。
【００２５】
２１４は第２の受光素子２１７に流れる微少電流を増幅すると共に光電流を電圧に変換する測光回路である。２１５は第１の受光素子２１８に流れる光電流を対数圧縮するとともにキセノン管２１６の発光量を圧縮積分するための積分測光回路である。
【００２６】
２１９はストロボ装置１２０全体の動作を制御するストロボマイコンである。２２０は発光モード、発光量、発光間隔、発光回数などの発光条件や発光指示を入力するための入力装置、２２１はストロボ状態や発光条件を表示するための表示装置である。２２２は温度計であり、キセノン管２１６の近傍などのストロボ装置１２０の構成部品に関する温度情報が必要な場所に配置される。
【００２７】
次に、ストロボマイコン２１９の各端子について説明する。
【００２８】
ＣＮＴはＤＣ／ＤＣコンバータ２０３の動作を制御する端子、ＡＤ１は充電電圧を読み込むためのＡ／Ｄ変換用の端子、ＡＤ２はバッテリーレベルを読み込むためのＡ／Ｄ変換用の端子である。ＡＤ３はストロボ装置１２０の温度を読み込むためのＡ／Ｄ変換用の端子、ＡＤ４は入力装置２２０からの出力を読み込むためのＡ／Ｄ変換用の端子、ＯＵＴは表示装置２２１へストロボ状態や発光条件を出力するための端子である。
【００２９】
ＣＬＫはストロボ接点群２００を介してカメラ本体１００とシリアル通信を行うための同期クロック入力用の端子である。ＤＯは同期クロックに同期してストロボ装置１２０からストロボ接点群２００を介してカメラ本体１００にシリアルデータを転送するためのシリアル出力用の端子である。また、ＤＩは同期クロックに同期してカメラ本体１００からストロボ接点群２００を介してストロボ装置１２０がシリアルデータを受け取るためのシリアルデータ入力用の端子である。ＣＨＧはストロボ装置１２０からストロボ接点群２００を介してカメラ本体１００にキセノン管の発光可否を伝達するための端子、Ｘはカメラ本体１００からのストロボ接点群２００を介してストロボ発光指令が入力される端子である。
【００３０】
ＩＮＴは積分測光回路２１５の積分制御出力用の端子、ＡＤ０は積分測光回路２１５から発光量を示す積分電圧を読み込むためのＡ／Ｄ変換入力用の端子、ＤＡ０はコンパレータ２１２，２１３のコンパレート電圧を出力するためのＤ／Ａ出力用の端子である。Ｙ０，Ｙ１はデータセレクタ２１１の選択状態を出力する端子であり、ＴＲＩＧは発光トリガ信号を出力する端子である。
【００３１】
次に、ストロボ装置１２０での発光処理について説明する。
【００３２】
ストロボマイコン２１９は、カメラ本体１００から指示された所定発光レベル、または、入力装置２２０により入力された発光量に応じて、端子ＤＡ０に所定の電圧（コンパレート電圧）を設定する。
【００３３】
次に、ストロボマイコン２１９は端子Ｙ０，Ｙ１を介してデータセレクタ２１１に、端子Ｄ０〜Ｄ２のいずれかの入力を選択させる。ここでは、端子Ｄ１を選択したときの制御を述べる。このとき、キセノン管２１６は未だ発光していないので、第１の受光素子２１８の光電流はほとんど流れていない。よって、コンパレータ２１３の反転入力端子に入力される積分測光回路２１５の出力は発生しない。一方、コンパレータ２１３の出力はＨ（ハイレベルを意味する）であるので、発光制御回路２１０は導通状態となる。
【００３４】
カメラ本体１００からストロボ接点群２００を介してストロボ装置１２０の端子Ｘに発光開始信号が入力される、または、入力装置２２０から発光開始指示がなされると、ストロボマイコン２１９は発光処理を開始する。
【００３５】
まず、ストロボマイコン２１９は、出力端子ＴＲＩＧより発光トリガ信号を出力する。すると、トリガ発生回路２０９が高圧を発生してキセノン管２１６を励起し、キセノン管２１６より発光が開始される。ほぼ同時に、ストロボマイコン２１９は、端子ＩＮＴの出力をＨにし、積分測光回路２１５に積分開始を指示する。これにより、積分測光回路２１５が第１の受光素子２１８の対数圧縮された光電出力の積分を開始する。
【００３６】
第１の受光素子２１８で受光した光は積分測光回路２１５で積分され、この積分出力が端子ＤＡ０に出力された出力より高くなると、コンパレータ２１３の出力端子がＨからＬ（ローレベルを意味する）に反転する。該信号がデータセレクタ２１１を介して発光制御回路２１０に入力されると、発光制御回路２１０がキセノン管２１６の発光を停止させる。発光終了後、ストロボマイコン２１９は、発光量を積分した積分測光回路２１５の出力を端子ＡＤ０から読み込んでＡ／Ｄ変換し、積分値、すなわち発光時の発光量をディジタル値として読み取る。
【００３７】
次に、図３のフローチャートを用いて、本発明の実施例１に係るマルチ発光時における動作について説明する。
【００３８】
ステップＳ１００よりマルチ発光動作を開始し、まず、ステップＳ１０１にて、ストロボマイコン２１９は、発光回数カウンタＮをクリア、つまり０とする。次のステップＳ１０２では、入力装置２２０から入力された、または、カメラ本体１００からストロボ接点群２００を介して送信された、発光量Ｆｏｕｔ、発光間隔Δｔ、発光回数Ｎｓｅｔを取得する。続くステップＳ１０３では、発光制限判定１（詳細は図４にて後述）を行い、上限発光回数Ｎｃｔｒｌを得る。
【００３９】
次のステップＳ１０４では、ストロボマイコン２１９は、取得した（指示された）発光量Ｆｏｕｔで発光処理を行う。発光処理の後はステップＳ１０５へ進み、発光回数カウンタＮをインクリメントする。そして、次のステップＳ１０６にて、インクリメントされた発光回数カウンタＮと上限発光回数Ｎｃｔｒｌが等しいかどうかを判定する。その結果、発光回数カウンタＮと上限発光回数Ｎｃｔｒｌが等しければステップＳ１０８へ進み、マルチ発光を終了する。
【００４０】
一方、発光回数カウンタＮと上限発光回数Ｎｃｔｒｌが等しくなければ、ストロボマイコン２１９は、ステップＳ１０６からステップＳ１０７へ進む。そして、ここで取得した発光間隔Δｔが経過するまで待機し、その後はステップＳ１０４の発光処理に戻り、以下、ステップＳ１０６にて発光回数カウンタＮと上限発光回数Ｎｃｔｒｌが等しいと判定されるまで同様の動作を繰り返す。
【００４１】
このようにして、発光量Ｆｏｕｔ、発光間隔Δｔ、上限発光回数Ｎｃｔｒｌでのマルチ発光処理が行われる。
【００４２】
次に、図４のフローチャートを用いて、図３のステップＳ１０３にて実行される発光制限判定１の動作について説明する。
【００４３】
ステップＳ２００より発光制限判定１の動作を開始する。そして、まず、ステップＳ２０１にて、ストロボマイコン２１９は、入力装置２２０から入力された、または、カメラ本体１００からストロボ接点群２００を介して送信された、発光量Ｆｏｕｔ、発光間隔Δｔ、発光回数Ｎｓｅｔを取得する。このとき、発光量Ｆｏｕｔ、発光間隔Δｔ、発光回数Ｎｓｅｔを表示装置２２１に表示してもよい。そして、次のステップＳ２０２にて、指示された発光回数Ｎｓｅｔを上限発光回数Ｎｃｔｒｌに格納する。
【００４４】
次のステップＳ２０３では、ストロボマイコン２１９は、端子ＡＤ３から温度計２２２から温度Ｔｓを得る。なお、温度Ｔｓは温度計２２２を使わずに過去の発光量および発光後の経過時間などから既知の温度検出手段を用いて取得してもよい。次のステップＳ２０４では、発光直後の温度上昇係数ΔＴａと発光してから発光間隔Δｔが経過した後の温度上昇係数ΔＴｂを求める。温度上昇係数ΔＴａ，ΔＴｂは、発光時の変化が図５のように変化するとして、発光量Ｆｏｕｔ、発光間隔Δｔ（秒）を用いて、図６，図７のテーブルから求める。発光量Ｆｏｕｔはフル発光量の比で表される。ここでは、発光量Ｆｏｕｔ、発光間隔Δｔから温度上昇係数ΔＴａ，ΔＴｂを求めるテーブルは一つしかないが、予め複数のテーブルを作成しておき、温度Ｔｓによってテーブルを選択する方法を用いてもよい。また、テーブルを使わずに初期温度、発光による発熱、発光後の放熱特性などから既知の温度推定手段を用いて、温度上昇係数ΔＴａ，ΔＴｂを取得してもよい。
【００４５】
次のステップＳ２０５では、ストロボマイコン２１９は、以下の式を満たす自然数Ｎの最大値Ｎｍａｘを求める。
【００４６】
Ｔｓ＋（ΔＴａ＋ΔＴｂ）・Ｎｍａｘ≦Ｔｔｈ
ここで、閾値温度Ｔｔｈは、例えば、使用者がストロボ装置１２０に触れても影響のない値となるように決定する。
【００４７】
次のステップＳ２０６では、ストロボマイコン２１９は、最大値Ｎｍａｘと上限発光回数Ｎｃｔｒｌの比較を行う。最大値Ｎｍａｘが上限発光回数Ｎｃｔｒｌ以上の場合は後述のステップＳ２０８へ進む。一方、最大値Ｎｍａｘが上限発光回数Ｎｃｔｒｌより小さい場合はステップＳ２０７へ進み、「Ｎｃｔｒｌ＝Ｎｍａｘ」とした後にステップＳ２０８へ進む。このとき演算された上限発光回数Ｎｃｔｒｌの値を出力装置２２１にて表示してもよい。
【００４８】
次のステップＳ２０８では、ストロボマイコン２１９は、発光指令の判定を行う。カメラ本体１００からストロボ接点群２００を介してストロボ装置１２０の端子Ｘに発光開始信号が入力される、または、入力装置２２０から発光開始指示がなされると、発光制限判定を終了して、図３の発光処理（ステップＳ１０４）へ進む。また、発光開始指令がなされていなければステップＳ２０１に戻り、発光回数Ｎｓｅｔを再取得する。
【００４９】
上記のような処理を行うことにより、発光量Ｆｏｕｔ、発光間隔Δｔ、上限発光回数Ｎｃｔｒｌでのマルチ発光処理が行われる。よって、上記の温度Ｔｓ、発光量Ｆｏｕｔ、発光間隔Δｔ、上限発光回数Ｎｃｔｒｌの条件でマルチ発光した場合に、発光後の温度が閾値温度Ｔｔｈを超えることはない。また、上限発光回数Ｎｃｔｒｌは発光開始まで逐次更新されるので、該上限発光回数Ｎｃｔｒｌが発光回数Ｎｓｅｔを下回る状況では、時間が経過し、温度Ｔｓが小さくなるとともに上限発光回数Ｎｃｔｒｌは増えていく。
【００５０】
上記実施例１におけるストロボ装置は、入力装置２２０を用いてもしくはカメラ本体１００から指示される発光量と発光回数を取得するストロボマイコン２１９を有する。さらには、指示される前記発光量の情報を用いて、前記温度が規定値に達しないようにするための上限発光回数（Ｎｃｔｒｌ）を演算するストロボマイコン２１９（図４の動作を行う部分）を有する。そして、上限発光回数が、指示された発光回数を下回る場合は、前記演算された上限発光回数でマルチ発光を行うストロボ装置としている。なお、ストロボ装置１２０は必ずしも温度計２２２を有していなくともよい。例えば、ストロボ装置１２０の電源をオンした後に、温度Ｔｓを予め記憶された初期値に設定し、ステップＳ２０３ではその後に得られた全てのΔＴａ，ΔＴｂを初期値に加算した値を新たな温度Ｔｓとしてもよい。また、ステップＳ２０５において、発光間隔Δｔと温度上昇係数ΔＴｂを用いずに、以下の式を満たす最大値Ｎｍａｘを求めても構わない。
Ｔｓ＋ΔＴａ・Ｎｍａｘ≦Ｔｔｈ
また、前記上限発光回数の演算は、上限発光回数が前記指示された発光回数を超えるまで繰り返し行われるようにしている。
【００５１】
よって、マルチ発光時に、発光回数を調節することによって、ストロボ装置１２０の構成部品である発光部（キセノン管２１６）や充電回路部等の温度が規定温度に到達することを抑止するストロボ装置１２０を提供可能となる。さらには、該ストロボ装置１２０を具備した撮像装置を提供可能となる。換言すれば、マルチ発光時に適した温度上昇緩和機能を備えたストロボ装置および該ストロボ装置１２０を具備した撮像装置を提供可能となる。
【００５２】
なお、本実施例１では、撮像レンズ１１０、ストロボ装置１２０は交換できる構成としてあるが、これらがカメラ本体１００に固定（一体化）されていても構わない。この場合は、レンズマイコン１１１，ストロボマイコン２１９の機能をカメラマイコン１０１が果たす構成となる。
【実施例２】
【００５３】
次に、本発明の実施例２について説明する。撮像装置や撮像レンズおよびストロボ装置の回路構成は上記実施例１と同じであるため、その説明は省略する。
【００５４】
本発明の実施例２に係るマルチ発光動作は、図３のステップＳ１０３での発光制限判定１が、発光制限判定２になるのみであり、その他の部分は同一である。よって、ここでは、以下の図８のフローチャートを用いて、図３のステップＳ１０３の発光制限判定１に相当する発光制限判定２の動作について説明する。
【００５５】
ステップＳ３００より発光制限判定２の動作を開始し、まず、ステップＳ３０１にて、ストロボマイコン２１９は、入力装置２２０またはカメラ本体１００から入力された発光量Ｆｏｕｔ、発光間隔Δｔ、発光回数Ｎｓｅｔを取得する。このとき、発光量Ｆｏｕｔ、発光間隔Δｔ、発光回数Ｎｓｅｔを表示装置２２１に表示してもよい。次のステップＳ３０２では、発光量Ｆｏｕｔを上限発光量Ｆｃｔｒｌに格納する。続くステップＳ３０３では、端子ＡＤ３から温度計２２２から温度Ｔｓを得る。温度Ｔｓは温度計２２２を使わずに過去の発光量および発光後の経過時間などから既知の温度検出手段を用いて取得してもよい。
【００５６】
次のステップＳ３０４では、ストロボマイコン２１９は、発光直後の温度上昇係数ΔＴａと発光してから発光間隔Δｔが経過した後の温度上昇係数ΔＴｂを求める。温度上昇係数ΔＴａ，ΔＴｂは、発光時の変化が図５のように変化するとして、発光量Ｆｏｕｔ、発光間隔Δｔを用いて図６，図７のテーブルから求める。ここでは、発光量Ｆｏｕｔ、発光間隔Δｔから温度上昇係数ΔＴａ，ΔＴｂを求めるテーブルは一つしかないが、予め複数のテーブルを作成しておき、温度Ｔｓによってテーブルを選択する方法を用いてもよい。また、テーブルを使わずに初期温度、発光による発熱、発光後の放熱特性などから既知の温度推定手段を用いて、温度上昇係数ΔＴａ，ΔＴｂを取得してもよい。
【００５７】
次のステップＳ３０５では、ストロボマイコン２１９は、以下の式を満たす自然数Ｎの最大値Ｎｍａｘを求める。
【００５８】
Ｔｓ＋（ΔＴａ＋ΔＴｂ）・Ｎｍａｘ≦Ｔｔｈ
ここで、閾値温度Ｔｔｈは、例えば、使用者がストロボ装置１２０に触れても影響のない値となるように決定する。
【００５９】
次のステップＳ３０６では、ストロボマイコン２１９は、最大値Ｎｍａｘと指示された発光回数Ｎｓｅｔの比較を行う。最大値Ｎｍａｘが発光回数Ｎｓｅｔ以上の場合は後述するステップＳ３０８へ進む。一方、最大値Ｎｍａｘが発光回数Ｎｓｅｔより小さい場合はステップＳ３０７へ進み、上限発光量Ｆｃｔｒｌを一段小さな値（本実施例では、「Ｆｃｔｒｌ＝Ｆｃｔｒｌ／２」）とし、ステップＳ３０４に戻り、再度最大値Ｎｍａｘを演算する。そして、ステップＳ３０６にて最大値Ｎｍａｘが発光回数Ｎｓｅｔ以上と判定されるまで同様の動作を繰り返す。このとき演算された上限発光量Ｆｃｔｒｌの値を表示装置２２１に表示してもよい。
【００６０】
次のステップＳ３０８では、ストロボマイコン２１９は、発光指令判定を行う。カメラ本体１００からストロボ接点群２００を介して１２０の端子Ｘに発光開始信号が入力される、または、入力装置２２０から発光開始指示がなされると発光制限判定を終了し、図３のステップＳ１０４の発光処理に移行する。上記発光開始指令がなされていなければステップＳ３０１に戻り、発光量Ｆｏｕｔを再取得する。
【００６１】
上記のようにすることで、上限発光量Ｆｃｔｒｌ、発光間隔Δｔ、発光回数Ｎｓｅｔでのマルチ発光処理が行われる。よって、温度Ｔｓ、上限発光量Ｆｃｔｒｌ、発光間隔Δｔ、発光回数Ｎｓｅｔの条件でマルチ発光した場合に、発光後の温度が閾値温度Ｔｔｈを超えることはない。また、上限発光量Ｆｃｔｒｌは発光開始まで逐次更新されるので、該上限発光量Ｆｃｔｒｌが発光量Ｆｏｕｔを下回る状況では、時間が経過し、温度Ｔｓが小さくなるとともに上限発光量Ｆｃｔｒｌは増えていく。
【００６２】
上記実施例２におけるストロボ装置は、入力装置２２０を用いてもしくはカメラ本体１００から指示される発光量と発光回数を取得するストロボマイコン２１９を有する。さらには、前記発光量の情報を用いて、前記温度が規定値に達しないようにするための上限発光量（Ｆｃｔｒｌ）を演算するストロボマイコン２１９（図８の動作を行う部分）を有する。そして、上限発光量が、指示された発光量を下回る場合は、前記演算された上限発光量以下でマルチ発光を行うストロボ装置としている。
【００６３】
また、前記上限発光量の演算は、上限発光量が前記指定された発光量を超えるまで繰り返し行われるようにしている。
【００６４】
よって、マルチ発光時に、発光量を調節することによって、ストロボ装置１２０の構成部品である発光部（キセノン管２１６）や充電回路部等の温度が規定温度に到達することを抑止するストロボ装置１２０を提供可能となる。さらには、該ストロボ装置１２０を具備した撮像装置を提供可能となる。換言すれば、マルチ発光時に適した温度上昇緩和機能を備えたストロボ装置１２０および該ストロボ装置１２０を具備した撮像装置を提供可能となる。
【００６５】
なお、本実施例２においても、撮像レンズ１１０、ストロボ装置１２０は交換できる構成としてあるが、これらがカメラ本体１００に固定（一体化）されていても構わない。この場合は、レンズマイコン１１１，ストロボマイコン２１９の機能をカメラマイコン１０１が果たす構成となる。
【実施例３】
【００６６】
次に、本発明の実施例３について説明する。撮像装置や撮像レンズおよびストロボ装置の回路構成は上記実施例１と同じであるため、その説明は省略する。
【００６７】
本実施例３は、発光制限処理方式が２種類あり、いずれかの方式を選択して、マルチ発光動作を行う例を示すものである。なお、発光制限処理方式の一つは、図４で示した実施例１における発光制限判定１であり、他の一つは、図８で示した実施例２における発光制限判定２である。以下、図９のフローチャートを用いて説明する。
【００６８】
ステップＳ４００より発光制限選択の処理を開始し、まず、ステップＳ４０１にて、ストロボマイコン２１９は、入力装置２２０により入力、または、カメラ本体１００からストロボ接点群２００を介して送信された、発光制限処理方式を取得する。次のステップＳ４０１では、発光制限処理方式が発光制限判定１であるか否かの判定を行う。発光制限判定１であればステップＳ４０３へ進み、発光制限判定１による制御を適用することを不図示の記憶手段に記憶し、ステップＳ４０７にて処理を終了する。このとき、出力装置２２１に適用する発光制限処理方式を出力してもよい。
【００６９】
上記ステップＳ４０２にて発光制限判定１でない場合はステップＳ４０４へ進み、ここでは発光制限判定２であるか否かの判定を行う。発光制限判定２であればステップＳ４０５へ進み、発光制限判定２による制御を適用することを不図示の記憶手段に記憶し、ステップＳ４０７にて処理を終了する。
【００７０】
また、上記ステップＳ４０４にて発光制限判定２でないと判定した場合はステップＳ４０６へ進み、他の制御を適用することを不図示の記憶手段に記憶し、ステップＳ４０７にて処理を終了する。なお、他の制御とは、既知の温度上昇緩和制御を意味している。例えば、入力装置２２０により入力された発光条件で発光しても温度が規定温度にならないと判定されるまで充電制御を行わないというような充電時間制御が挙げられる。
【００７１】
本実施例３では、図9の動作が行われた後に、図４もしくは図８の発光制限判定を用いた図３のマルチ発光動作が行われることになる。
【００７２】
上記構成にすることにより、上記実施例１，２と同様の効果を得ることのできるストロボ装置および該ストロボ装置を具備した撮像装置を提供可能となる。また、発光回数を制限するか、発光量を制限するかを選択することができる。
【００７３】
なお、本実施例３においても、撮像レンズ１１０、ストロボ装置１２０は交換できる構成としてあるが、これらがカメラ本体１００に固定（一体化）されていても構わない。この場合は、レンズマイコン１１１，ストロボマイコン２１９の機能をカメラマイコン１０１が果たす構成となる。
【００７４】
（本発明と実施例の対応）
ストロボマイコン２１９が、本発明の、指示される発光量と発光回数を取得する発光情報取得手段に相当する。また、ストロボマイコン２１９の図４もしくは図８の動作を行う部分が、本発明の発光量の情報を用いて、温度が規定値に達しないようにするための上限発光回数もしくは上限発光量を演算する演算手段に相当する。また、ストロボマイコン２１９の図９の動作を行う部分が、本発明の、演算手段により上限発光回数を演算させるか、上限発光量を演算させるかを選択する演算選択手段に相当する。
【図面の簡単な説明】
【００７５】
【図１】本発明の実施例１に係わる撮像装置、ストロボ装置および撮像レンズの回路構成を示すブロック図である。
【図２】図１に示すストロボ装置内の回路構成を示すブロック図である。
【図３】本発明の実施例１に係るマルチ発光動作を示すフローチャートである。
【図４】本発明の実施例１に係る発光制限判定１の動作を示すフローチャートである。
【図５】本発明の実施例１に係るマルチ発光時の温度変化を示す図である。
【図６】本発明の実施例１に係る温度上昇係数ΔＴａを取得するためのテーブルを示す図である。
【図７】本発明の実施例１に係る温度上昇係数ΔＴｂを取得するためのテーブルを示す図である。
【図８】本発明の実施例２に係る発光制限判定２の動作を示すフローチャートである。
【図９】本発明の実施例３に係る発光制限処理方式の選択処理を示すフローチャートである。
【符号の説明】
【００７６】
１００      カメラ本体
１０１      カメラマイコン
１１０      撮影レンズ
１１１      レンズマイコン
１２０      ストロボ装置
２１０      発光制御回路
２１６      キセノン管
２１９      ストロボマイコン
２２０      入力装置
２２１      表示装置
２２２      温度計
【図１】
2009139519.tif 000003
【図２】
2009139519.tif 000004
【図３】
2009139519.tif 000005
【図４】
2009139519.tif 000006
【図５】
2009139519.tif 000007
【図６】
2009139519.tif 000008
【図７】
2009139519.tif 000009
【図８】
2009139519.tif 000010
【図９】
2009139519.tif 000011